(57)【要約】【課題】異なる幅のラベル連続体Ｃを装填する際に、その幅を規制してガイドする機能を簡単に切替えることができ、幅ガイド部材２９の機械的強度を確保可能なラベル貼付け装置におけるラベルガイド機構およびその幅ガイド部材を提供すること。【解決手段】ラベル連続体Ｃの幅方向を規制可能な幅ガイド部材２９に幅方向に延びる折返し部３５を形成することにより機械的強度を確保することに着目したもので、プラテンの下面側からプラテンに着脱可能であるとともに、幅ガイド部材２９は、プラテンの下面においてその幅方向に沿って延びる基板部３０と、基板部３０の両端部からプラテンの上面側に延びる左右一対の幅規制部３１と、基板部３０の両端部から幅規制部３１と反対側に延びる左右一対のつまみ部３２と、を有するとともに、つまみ部３２は、プラテン下面に沿って平面的に延びる所定の幅及び長さを有する折返し部３５を一体に形成してあることを特徴とする。【選択図】図６
2010143588.tif 000002
【特許請求の範囲】
【請求項１】
装置本体ハウジングと、
この装置本体ハウジングに対して操作可能な操作レバーと、
帯状の台紙に複数枚のラベル片を仮着したラベル連続体におけるこの台紙に係合し、前記操作レバーの握持および開放にともなって前記台紙を下流方向に移送可能な移送輪と、
この移送輪による移送にともなって前記ラベル連続体がその上面を通過するプラテンと、を有し、
前記装置本体ハウジング内における前記ラベル連続体の移送にともなって前記台紙のみをこのプラテンの下面側に転向させ、前記台紙から前記ラベル片を剥離して物品に貼り付け可能とする剥離機構と、を有するとともに、
前記ラベル連続体が有する複数の幅についてその幅方向を規制可能なラベル貼付け装置におけるラベルガイド機構であって、
前記プラテンの前記下面側から前記プラテンに着脱可能であるとともに、前記ラベル連続体の幅に応じて交換可能な幅ガイド部材を有し、
この幅ガイド部材は、
前記プラテンの前記下面においてその幅方向に沿って延びる基板部と、
この基板部の両端部から前記プラテンの前記上面側に延びる左右一対の幅規制部と、
この基板部の両端部からこの幅規制部とは反対側に延びる左右一対のつまみ部と、を有するとともに、
このつまみ部は、
前記プラテンの前記下面に沿って平面的に延びる所定の幅および長さを有する折返し部を一体に形成してあることを特徴とするラベル貼付け装置におけるラベルガイド機構。
【請求項２】
前記折返し部は、
前記つまみ部とは直角方向に延びていることを特徴とする請求項１記載のラベル貼付け装置におけるラベルガイド機構。
【請求項３】
前記折返し部は、
前記つまみ部の前記基板部との間の接合部とは異なる部位にこれを形成していることを特徴とする請求項１記載のラベル貼付け装置におけるラベルガイド機構。
【請求項４】
前記折返し部は、
前記つまみ部にこれを複数枚形成するとともに、
前記つまみ部の長さ方向において互いの間に非形成部を残してこれらを形成していることを特徴とする請求項１記載のラベル貼付け装置におけるラベルガイド機構。
【請求項５】
前記折返し部は、
前記つまみ部から前記プラテン側に延びる内方突出折返し部と、
前記つまみ部から前記プラテンの外方側に延びる外方突出折返し部と、を有していることを特徴とする請求項１記載のラベル貼付け装置におけるラベルガイド機構。
【請求項６】
前記左右一対のつまみ部は、
前記台紙の移送方向に沿ってその上流側および下流側に延びる一対の補助延長部をそれぞれ有することを特徴とする請求項１記載のラベル貼付け装置におけるラベルガイド機構。
【請求項７】
装置本体ハウジングと、
この装置本体ハウジングに対して操作可能な操作レバーと、
帯状の台紙に複数枚のラベル片を仮着したラベル連続体におけるこの台紙に係合し、前記操作レバーの握持および開放にともなって前記台紙を下流方向に移送可能な移送輪と、
この移送輪による移送にともなって前記ラベル連続体がその上面を通過するプラテンと、
前記装置本体ハウジング内における前記ラベル連続体の移送にともなって前記台紙のみをこのプラテンの下面側に転向させ、前記台紙から前記ラベル片を剥離して物品に貼り付け可能とする剥離機構と、
前記ラベル連続体が有する複数の幅についてその幅方向を規制可能なラベルガイド機構と、を有するラベル貼付け装置における前記プラテンに着脱可能な幅ガイド部材であって、
当該幅ガイド部材は、前記プラテンの前記下面側から前記プラテンに着脱可能であるとともに、
前記プラテンの前記下面においてその幅方向に沿って延びる基板部と、
この基板部の両端部から前記プラテンの前記上面側に延びるとともに、前記ラベル連続体の幅方向を規制可能な左右一対の幅規制部と、
この基板部の両端部からこの幅規制部とは反対側に延びる左右一対のつまみ部と、を有するとともに、
このつまみ部は、
前記プラテンの前記下面に沿って平面的に延びる所定の幅および長さを有する折返し部を一体に形成してあることを特徴とするラベル貼付け装置におけるラベルガイド機構の幅ガイド部材。
【発明の詳細な説明】
【技術分野】
【０００１】
本発明はラベル貼付け装置におけるラベルガイド機構およびその幅ガイド部材にかかるもので、とくに帯状の台紙に複数枚のラベル片を仮着したラベル連続体を移送するとともに、ラベル連続体の幅に応じてそのガイド機構ないしその幅ガイド部材を取り替え可能なラベル貼付け装置におけるラベルガイド機構およびその幅ガイド部材に関するものである。
【背景技術】
【０００２】
従来のラベル貼付け装置は、その装置本体ハウジング内においてラベル連続体をその供給部から移送路に繰り出すとともに所定ピッチで移送し、必要ならばラベル片に価格その他の所定情報を印字（スタンプ）し、台紙からラベル片を剥離して、所定の物品などに貼り付け可能とするものである。
上記ラベル連続体の移送およびラベル片の剥離にあたっては通常、回転可能な移送輪にラベル連続体ないし台紙を係合させ、操作レバーの操作によって移送輪をラベル片のピッチで回転および停止させることにより、ラベル連続体を下流方向に順次移送し、転向ピンなどにおいて台紙のみを後方に転向させ、前方に進んだラベル片を台紙から剥離するものである。
【０００３】
しかして、ラベル連続体は、その使用目的などに応じてそれぞれ幅が異なっており、従来のラベル貼付け装置には、それぞれのラベル連続体の幅に応じて幅規制機構ないしガイド機構を設けることにより、ラベル連続体の蛇行を防止して印字位置ずれなどを回避可能としているが、単一の幅のラベル連続体に対応した機構であるために、幅が異なるラベル連続体を装填して使用する場合には、それぞれの幅に応じた幅規制機構ないしガイド機構を備えたラベル貼付け装置として製造する必要があり、コストの上昇を招くというという問題がある。
【０００４】
そこで、ラベル連続体の幅に応じてラベル連続体を規制する幅規制部材（幅ガイド部材）をラベル貼付け装置に着脱するようにしているものがあるが、ラベル貼付け装置の装置本体ハウジングの幅が一定であるために、ラベル連続体の幅や幅規制部材の構成によっては、とくに幅が比較的大きなラベル連続体を装填する場合などには、幅規制部材自体の一部に厚さが不十分となる場合があり、その機械的強度を確保することができないという問題がある。
【０００５】
さらに、ラベル連続体として、特殊な形状、たとえばその両端縁部が凸凹形状をしているラベル連続体の場合には、その幅の大きな部分を幅規制する必要があるために、凸凹形状ではない一直線状の両端縁部を有する一般的なラベル連続体に比較してラベル連続体の移送方向に沿って所定の長さ以上の幅規制が必要である。しかしながら、上記幅規制部材（幅ガイド部材）がラベル連続体の移送方向に長い場合、とくに厚さが薄い部分を有する構成の場合には、機械的強度がさらに低下しやすく、全体の曲がりが発生しやすいという問題がある。
【０００６】
【特許文献１】米国特許第５６５５４５０号公報
【発明の開示】
【発明が解決しようとする課題】
【０００７】
本発明は以上のような諸問題にかんがみなされたもので、ラベル連続体の幅に応じて、そのガイド機構およびその幅ガイド部材（幅ガイド部材）を取り替え可能なラベル貼付け装置におけるラベルガイド機構およびその幅ガイド部材を提供することを課題とする。
【０００８】
また本発明は、異なる幅のラベル連続体を装填する際に、その幅を規制してガイドする機能を簡単に切り替えることができるラベル貼付け装置におけるラベルガイド機構およびその幅ガイド部材を提供することを課題とする。
【０００９】
また本発明は、単一の装置本体ハウジングであっても、複数種の幅を有するラベル連続体を装填可能なラベル貼付け装置におけるラベルガイド機構およびその幅ガイド部材を提供することを課題とする。
【００１０】
また本発明は、幅ガイド部材の必要な機械的強度を確保可能なラベル貼付け装置におけるラベルガイド機構およびその幅ガイド部材を提供することを課題とする。
【００１１】
また本発明は、その両端縁部が凸凹形状をしているラベル連続体の場合であっても、幅ガイド部材が必要な幅規制機能および機械的強度を得ることができるようにしたラベル貼付け装置におけるラベルガイド機構およびその幅ガイド部材を提供することを課題とする。
【課題を解決するための手段】
【００１２】
すなわち本発明は、移送輪による移送にともなってラベル連続体がその上面を通過するプラテンにラベルガイド機構ないしその幅ガイド部材を設けること、具体的には、たとえば、ラベル連続体が有する複数の幅についてその幅方向を規制可能な幅ガイド部材をプラテンに着脱可能とすること、さらに幅ガイド部材に幅方向に延びる折返し部を形成することにより機械的強度を確保することに着目したもので、第一の発明は、装置本体ハウジングと、この装置本体ハウジングに対して操作可能な操作レバーと、帯状の台紙に複数枚のラベル片を仮着したラベル連続体におけるこの台紙に係合し、上記操作レバーの握持および開放にともなって上記台紙を下流方向に移送可能な移送輪と、この移送輪による移送にともなって上記ラベル連続体がその上面を通過するプラテンと、を有し、上記装置本体ハウジング内における上記ラベル連続体の移送にともなって上記台紙のみをこのプラテンの下面側に転向させ、上記台紙から上記ラベル片を剥離して物品に貼り付け可能とする剥離機構と、を有するとともに、上記ラベル連続体が有する複数の幅についてその幅方向を規制可能なラベル貼付け装置におけるラベルガイド機構であって、上記プラテンの上記下面側から上記プラテンに着脱可能であるとともに、上記ラベル連続体の幅に応じて交換可能な幅ガイド部材を有し、この幅ガイド部材は、上記プラテンの上記下面においてその幅方向に沿って延びる基板部と、この基板部の両端部から上記プラテンの上記上面側に延びる左右一対の幅規制部と、この基板部の両端部からこの幅規制部とは反対側に延びる左右一対のつまみ部と、を有するとともに、このつまみ部は、上記プラテンの上記下面に沿って平面的に延びる所定の幅および長さを有する折返し部を一体に形成してあることを特徴とするラベル貼付け装置におけるラベルガイド機構である。
【００１３】
第二の発明は、装置本体ハウジングと、この装置本体ハウジングに対して操作可能な操作レバーと、帯状の台紙に複数枚のラベル片を仮着したラベル連続体におけるこの台紙に係合し、上記操作レバーの握持および開放にともなって上記台紙を下流方向に移送可能な移送輪と、この移送輪による移送にともなって上記ラベル連続体がその上面を通過するプラテンと、上記装置本体ハウジング内における上記ラベル連続体の移送にともなって上記台紙のみをこのプラテンの下面側に転向させ、上記台紙から上記ラベル片を剥離して物品に貼り付け可能とする剥離機構と、上記ラベル連続体が有する複数の幅についてその幅方向を規制可能なラベルガイド機構と、を有するラベル貼付け装置における上記プラテンに着脱可能な幅ガイド部材であって、当該幅ガイド部材は、上記プラテンの上記下面側から上記プラテンに着脱可能であるとともに、上記プラテンの上記下面においてその幅方向に沿って延びる基板部と、この基板部の両端部から上記プラテンの上記上面側に延びるとともに、上記ラベル連続体の幅方向を規制可能な左右一対の幅規制部と、この基板部の両端部からこの幅規制部とは反対側に延びる左右一対のつまみ部と、を有するとともに、このつまみ部は、上記プラテンの上記下面に沿って平面的に延びる所定の幅および長さを有する折返し部を一体に形成してあることを特徴とするラベル貼付け装置におけるラベルガイド機構の幅ガイド部材である。
【００１４】
上記折返し部は、上記つまみ部とは直角方向に延びていることができる。
【００１５】
上記折返し部は、上記つまみ部の上記基板部との間の接合部とは異なる部位にこれを形成していることができる。
【００１６】
上記折返し部は、上記つまみ部にこれを複数枚形成するとともに、上記つまみ部の長さ方向において互いの間に非形成部を残してこれらを形成していることができる。
【００１７】
上記折返し部は、上記つまみ部から上記プラテン側に延びる内方突出折返し部と、上記つまみ部から上記プラテンの外方側に延びる外方突出折返し部と、を有していることができる。
【００１８】
上記左右一対のつまみ部は、上記台紙の移送方向に沿ってその上流側および下流側に延びる一対の補助延長部をそれぞれ有することができる。
【発明の効果】
【００１９】
本発明によるラベル貼付け装置におけるラベルガイド機構およびその幅ガイド部材においては、移送輪による移送にともなってラベル連続体がその上面を通過するプラテンに、その幅に応じて取り替え可能なラベルガイド機構ないしその幅ガイド部材を設けたので、複数種の幅を有するラベル連続体を装填しても適正にこれをガイドすることができるとともに、一台のラベル貼付け装置を複数種のラベル連続体用として使用することが可能となる。
とくに、ラベル連続体の幅が異なって、たとえばその幅を大きくする必要があるために幅ガイド部材の幅規制部やつまみ部の厚さが薄くなっても、幅ガイド部材のつまみ部に幅方向に延びる折返し部を形成することにより、幅ガイド部材全体の機械的強度を確保することができ、その曲がり変形などを回避可能である。
【発明を実施するための最良の形態】
【００２０】
本発明は、ラベル連続体が有する複数種の幅に応じた幅ガイド部材をプラテンに着脱可能に設けるとともに、その幅方向に折返し部を突出形成するようにしたので、一台のラベル貼付け装置に複数種の幅を有するラベル連続体を装填可能であるとともに、つまみ部に形成する折返し部によって幅ガイド部材の機械的強度を確保可能なラベル貼付け装置におけるラベルガイド機構およびその幅ガイド部材を実現した。
【実施例】
【００２１】
つぎに本発明の実施例によるラベル貼付け装置１におけるラベルガイド機構１０およびその幅ガイド部材２９を図１ないし図９にもとづき説明する。
図１は、ラベル貼付け装置１の断面側面図であって、ラベル貼付け装置１は、装置本体ハウジング２と、操作レバー３と、ラベル供給部４と、移送輪５と、印字機構６（印字スタンプ機構）と、剥離機構７と、ラベルガイド機構８と、貼付けローラー９と、を有する。
【００２２】
装置本体ハウジング２は、ラベル貼付け装置１全体を収容する左右（図中前後）一対の側板からこれを構成し、その後方上部（図中右上方）にグリップ１０を形成している。
【００２３】
操作レバー３は、操作レバー軸１１のまわりに回動可能にこれを取り付け、装置本体ハウジング２（グリップ１０）に対して操作可能であって、グリップ１０との間に圧縮スプリング１２を介在させて、圧縮スプリング１２の付勢力に抗してグリップ１０とともにこれを握持する操作、およびその開放操作を可能とする。なお、操作レバー３には、印字機構６方向に延びるヨーク部１３、および移送輪５の後方（図中右側）に延びるアーム連結部１４を形成してある。
ラベル連続体Ｃは、帯状の台紙Ｓに複数枚のラベル片Ｌを仮着したもので、ラベル供給部４にロール状に巻かれて装填され、ラベル供給部４から装置本体ハウジング２内の移送路１５に繰り出される。
移送路１５は、ラベル供給部４から移送輪５の部分を通り、剥離機構７では台紙Ｓのみが後方に折り返して移送輪５に係合し、アーム連結部１４と排出ガイド部１６との間から装置本体ハウジング２の外部に台紙Ｓが排出されるような経路を取る。
操作レバー３の握持時に印字機構６によるラベル連続体Ｃ（ラベル片Ｌ）への印字を行い、その開放によりラベル連続体Ｃの下流方向への移送および台紙Ｓからのラベル片Ｌの剥離を行って、グリップ１０および操作レバー３の開放状態のままラベル貼付け装置１全体を任意の物品（図示せず）に当接し、貼付けローラー９によるラベル片Ｌの貼付けを可能とする。
【００２４】
図２は、剥離機構７およびラベルガイド機構８を備えたプラテンユニット１７のユニット本体１８の斜視図、図３は、プラテンユニット１７の側面図である。
プラテンユニット１７においては、そのユニット本体１８が移送路１５の左右一対のガイドブラケット１９を有するとともに、ガイドブラケット１９の間の前方部分（下流部分）に、印字機構６のプラテン２０を一体に有する。
左右一対のガイドブラケット１９（ユニット本体１８）は、前記移送輪５をその回転軸２１のまわりに回転可能に支持しているとともに、移送輪５の上方部を覆うように円弧状の台紙ガイドカバー２２（図１）を取り付け、台紙ガイドカバー２２の外壁部上にラベル連続体Ｃを移送可能とし、剥離機構７において転向されてきた台紙Ｓを台紙ガイドカバー２２の内壁部と移送輪５との間に通過可能とする。
移送輪５は、その円周面に等角度間隔でラベル片Ｌのピッチに応じて形成した係合爪（図示せず）に台紙Ｓを係合可能とし、前記操作レバー３のアーム連結部１４に移送アーム軸２３を介して接続した移送アーム２４を介して操作レバー３によりこの移送輪５を回転可能としてある。すなわち、操作レバー３の握持および開放にともなう移送輪５の回転により台紙Ｓ（ラベル連続体Ｃ）を下流方向に移送可能である。
【００２５】
印字機構６（印字スタンプ機構）は、図１に示すように、上記操作レバー３のヨーク部１３の先端部に取り付けた印字器２５と、装置本体ハウジング２の先端上部のローラー軸２６に取り付けて印字器２５方向に所定の弾性部材（図示せず）により常時付勢してあるインキローラー２７と、前記プラテン２０と、を有する。
操作レバー３の握持操作により、印字器２５がインキローラー２７によりインキを塗布されてプラテン２０上のラベル連続体Ｃ（ラベル片Ｌ）に所定の印字をスタンプする。
【００２６】
剥離機構７は、とくに図１に示すように、プラテン２０の先端部に転向ピン２８を有し、装置本体ハウジング２内におけるラベル連続体Ｃの移送にともなって転向ピン２８において台紙Ｓのみをプラテン２０の下面側へ、さらに移送輪５方向（後方）に転向させ、台紙Ｓからラベル片Ｌを剥離する。剥離したラベル片Ｌを貼付けローラー９により所定の物品などに貼付け可能とする。
【００２７】
ラベルガイド機構８は、移送輪５による移送にともなってラベル連続体Ｃがその上面を通過するプラテン２０に設けるとともに、ラベル連続体Ｃが有する複数の幅についてその幅方向を規制可能なものである。
図４および図５は、図３のＩＶ−ＩＶ線断面図であって、ラベルガイド機構８は、プラテン２０（プラテンユニット１７）の下面側からプラテン２０に着脱可能であるとともに、ラベル連続体Ｃの幅に応じて交換可能な幅ガイド部材２９を有する。
なお、図４は、幅ガイド部材２９をプラテンユニット１７（ユニット本体１８）に組み付ける前の状態を示し、図５は、組み付けた後の状態を示している。
図６は、幅ガイド部材２９をプラテン２０の下方部から取り付ける正立状態における幅ガイド部材２９の斜視図、図７は、図６とは幅ガイド部材２９を１８０度反対側に倒した倒立状態における幅ガイド部材２９の斜視図である。
【００２８】
幅ガイド部材２９は、とくに図４に示すように、断面Ｈ字形状であり、ラベル連続体Ｃの移送方向に所定の長さにわたって延びるもので、プラテン２０の下面（下方部）においてその幅方向に沿って横断的に延びる基板部３０と、基板部３０の両端部からプラテン２０の上面側（表面側）に延びる左右一対の幅規制部３１と、基板部３０の両端部から幅規制部３１とは反対側（下方部側）に延びる左右一対のつまみ部３２と、を有する。
【００２９】
左右一対の幅規制部３１は、それぞれの内方壁面３１Ａの間において、対応する幅を有するラベル連続体Ｃのその幅を規制してラベル連続体Ｃを適正にガイドする。すなわち、左右一対の内方壁面３１Ａの間の間隔Ｗ（図４）が異なる幅ガイド部材２９を、ラベル連続体Ｃの異なる幅に応じて複数個準備しておくものとする。
さらに、プラテン２０の左右側部とガイドブラケット１９との間には、幅規制部３１を挿入して係合固定するための着脱窓３３を貫通形成してある。左右一対の幅規制部３１からつまみ部３２にかけて形成したそれぞれの外方壁面３１Ｂが、着脱窓３３のガイドブラケット１９側のそれぞれの外方壁面３３Ａに沿って係合する（図５）。
さらに幅規制部３１は、プラテン２０の両側のガイドブラケット１９に形成したプラテン側係合部１９Ａに係脱可能なガイド側係合部３１Ｃを有する。
また、とくに図５に示すように、着脱窓３３においては、ここに幅ガイド部材２９の幅規制部３１が挿入係合されても、内方壁面３１Ａとプラテン２０の外方壁面２０Ａとの間には所定の空間部（隙間）が残るようにしてあり、幅規制部３１の厚さ（ラベル連続体Ｃの幅方向の厚さ）が異なる複数パターンの幅ガイド部材２９を受け入れ可能としているとともに、着脱窓３３への幅ガイド部材２９の着脱を容易としている。
なお、ガイド側係合部３１Ｃの内方側には、ラベル連続体Ｃが装填時にプラテン２０に向かってガイドされやすいように、かつ幅規制部３１が着脱窓３３に挿入されやすいようにテーパー面３１Ｄを形成してある。
【００３０】
とくに図７に示すように、基板部３０の裏面側には、幅ガイド部材２９から下流側の移送輪５への台紙Ｓの移送方向を示す矢印３０Ａを設けている。また図６および図７に示すように、幅規制部３１の外方壁面３１Ｂ側には、幅規制部３１からつまみ部３２にかけて補強用リブ３４を突出形成してある。
さらに、左右一対のつまみ部３２は、プラテン２０の下面に沿ってつまみ部３２とは直角方向に平面的に延びる所定の幅および長さを有する折返し部３５を一体に形成してあるとともに、台紙Ｓの移送方向に沿ってその上流側に延びる一対の上流側補助延長部３６（補助延長部）、および下流側に延びる一対の下流側補助延長部３７（補助延長部）をそれぞれ有する。この下流側補助延長部３７を上流側補助延長部３６より長く形成することによって、装置本体ハウジング２の内方側で下流側に位置している移送輪５へのラベル連続体Ｃ(台紙Ｓ)の案内作用の安定化を図っている。
【００３１】
折返し部３５は、つまみ部３２の基板部３０との間の接合部３２Ａとは異なる部位にこれを形成しているもので、つまみ部３２の上流側補助延長部３６および下流側補助延長部３７にかけて、互いに一体平面状の上流外方突出折返し部３５Ａ（外方突出折返し部）および上流内方突出折返し部３５Ｂ（内方突出折返し部）、ならびに互いに一体平面状の下流内方突出折返し部３５Ｃ（内方突出折返し部）および下流外方突出折返し部３５Ｄ（外方突出折返し部）の複数枚を形成するとともに、つまみ部３２の長さ方向において上流内方突出折返し部３５Ｂおよび下流内方突出折返し部３５Ｃの間に非形成部３５Ｅを残してこれらを形成している。
とくに図７に示すように、上流内方突出折返し部３５Ｂおよび下流内方突出折返し部３５Ｃは、つまみ部３２の端縁部からプラテン２０側に延びている。また、上流外方突出折返し部３５Ａおよび下流外方突出折返し部３５Ｄは、つまみ部３２の端縁部からプラテン２０の外方側に延びている
上流側補助延長部３６は、その先端部（ラベル連続体Ｃの移送方向上流側）に向かってこれをテーパー状に形成しているとともに、下流側補助延長部３７には補強用リブ３８を突出形成している。
【００３２】
なお、図８は、幅ガイド部材２９をプラテンユニット１７（プラテン２０）に組み込んだ状態の、図６と同様の幅ガイド部材２９の正立状態における斜視図、図９は、幅ガイド部材２９をプラテンユニット１７（プラテン２０）に組み込んだ状態の、図７と同様の幅ガイド部材２９の倒立状態における斜視図である。
図８および図９に示すように、プラテン２０の上面側には幅ガイド部材２９の幅規制部３１の内方壁面３１Ａが臨むとともに、プラテン２０の下面側には幅ガイド部材２９の基板部３０ならびにつまみ部３２およびその折返し部３５（上流外方突出折返し部３５Ａ、上流内方突出折返し部３５Ｂ、下流内方突出折返し部３５Ｃ、下流外方突出折返し部３５Ｄ）が臨んでいる。
【００３３】
図４および図５に示すように、プラテン２０の下面には、幅ガイド部材２９の基板部３０方向に向かって複数本の垂直リブ３９を形成してあり、それぞれの垂直リブ３９の先端側（図中下方側）に形成した係合凹部３９Ａに基板部３０がプラテン２０の下方から係合可能として、ガイドブラケット１９のプラテン側係合部１９Ａと幅規制部３１のガイド側係合部３１Ｃとの係合に加えて、幅ガイド部材２９のプラテン２０への取付け構造をより確実にしている。
【００３４】
既述のようなプラテンユニット１７に、移送輪５とともに、剥離機構７、ラベルガイド機構８および移送アーム２４などを組み込んである。
さらにプラテンユニット１７は、移送アーム２４を操作レバー３に連結する移送アーム軸２３おいて装置本体ハウジング２に対してこれを開閉可能とし、装置本体ハウジング２内へのラベル連続体Ｃの装填を可能とする。
【００３５】
こうした構成のラベル貼付け装置１およびラベルガイド機構８において、操作レバー３のグリップ１０への握持およびその開放にともなう、ラベル連続体Ｃ（ラベル片Ｌ）への印字、移送、剥離を行う。
つぎに、おもに図４および図５にもとづき、ラベルガイド機構８およびその幅ガイド部材２９の動作について説明する。
ラベル連続体Ｃ（ラベル片Ｌ）の幅が異なるものをラベル貼付け装置１（ラベル供給部４）に装填する場合には、ラベルガイド機構８におけるガイドブラケット１９のプラテン側係合部１９Ａから、幅ガイド部材２９の幅規制部３１のガイド側係合部３１Ｃを外すとともに、幅ガイド部材２９の基板部３０をプラテン２０の下方における垂直リブ３９の係合凹部３９Ａから外して、幅規制部３１を着脱窓３３を通過させて幅ガイド部材２９をプラテン２０（プラテンユニット１７）から取り外す。
ついで、新しいラベル連続体Ｃの幅に対応した左右一対の幅規制部３１の間隔Ｗを有する新しい幅ガイド部材２９を図４に示すように、プラテンユニット１７（プラテン２０）の下方から着脱窓３３に挿入すれば、幅規制部３１のガイド側係合部３１Ｃがガイドブラケット１９のプラテン側係合部１９Ａに係合するとともに、基板部３０が垂直リブ３９の係合凹部３９Ａに係合し、幅ガイド部材２９をプラテン２０の下方部分に固定して、新しい幅規制部３１の内方壁面３１Ａが新しい幅のラベル連続体Ｃを適正に幅規制してガイドすることができる。
したがって、一台のラベル貼付け装置１により複数の幅を有する各種のラベル連続体Ｃを装填して、印字、移送、剥離および貼付け操作を行うことができる。
また、複数種のラベル連続体Ｃを一台のラベル貼付け装置１に装填可能であるため、印字器２５として、ラベル連続体Ｃの幅が狭いものあるいは広いものに応じて任意の段数、たとえば一列に印字を行う一列タイプ（一段型）、あるいは二列に印字を行う二列タイプ（二段型）などを同じ装置本体ハウジング２（操作レバー３のヨーク部１３）に選択的に装備することが可能となる。
【００３６】
さらに、プラテン２０への取付けによってプラテン２０と垂直に位置することになる幅規制部３１およびつまみ部３２には、プラテン２０と水平に位置することになる平面的な折返し部３５が一体的に設けられているので、ラベル連続体Ｃの各異なる幅に応じて幅規制部３１およびつまみ部３２の厚さを薄くせざるを得ない場合であっても、この折返し部３５が幅ガイド部材２９全体の機械的強度を確保し、その曲がりを防止することができる。
また、つまみ部３２には、一対の補助延長部（上流側補助延長部３６および下流側補助延長部３７）が形成されているので、上記折返し部３５による所定の長さ範囲での補強作用による強度を保ちつつ、比較的長い範囲にわたってラベル連続体Ｃをガイド可能であり、ラベル連続体Ｃとして、特殊な形状、たとえばその両端縁部が凸凹形状をしているラベル連続体Ｃの場合であっても、その凸形状部分の幅ガイドを比較的長い範囲にわたって実行可能であり、ラベル連続体Ｃの移送方向における長さ方向での安定したガイド機能および移送機能を発揮することができる。
【００３７】
なお、図７および図９に、ラベル貼付け装置１への装填時のラベル連続体Ｃを仮想線で示すように、とくにつまみ部３２の長さ方向において折返し部３５としての上流内方突出折返し部３５Ｂおよび下流内方突出折返し部３５Ｃの間に非形成部３５Ｅが設けられているので、両端縁部が凸凹形状をしているラベル連続体Ｃの凸部分より幅および長さをわずかに大きく非形成部３５Ｅを形成するとともに、ラベル連続体Ｃの凹部分より幅および長さをわずかに小さく上流内方突出折返し部３５Ｂおよび下流内方突出折返し部３５Ｃを形成しておけば、ラベル貼付け装置１へのラベル連続体Ｃの装填にあたって、プラテンユニット１７(プラテン２０)の下面部に位置させる台紙Ｓが、これらの折返し部３５（上流内方突出折返し部３５Ｂおよび下流内方突出折返し部３５Ｃ)に乗り上げることなく、その下方部に誘導されて、正規の移送路１５（ラベル連続体Ｃないし台紙Ｓのセット位置）にセット可能であり、幅ガイド部材２９の幅規制部３１によってラベル連続体Ｃ(台紙Ｓ）の正規の幅規制を行うようにすることができるとともに、上流内方突出折返し部３５Ｂおよび下流内方突出折返し部３５Ｃが台紙Ｓを確実にプラテン２０の下面方向に押さえ付けて、移送輪５の断続的な回転によるラベル連続体Ｃの移送にともなう台紙Ｓのバタツキを抑制することができる。
【図面の簡単な説明】
【００３８】
【図１】本発明の実施例によるラベルガイド機構１０およびその幅ガイド部材２９（ラベルガイド機構８）を備えたラベル貼付け装置１の断面側面図である。
【図２】同、剥離機構７およびラベルガイド機構８を備えたプラテンユニット１７のユニット本体１８の斜視図である。
【図３】同、プラテンユニット１７の側面図である。
【図４】同、図３のＩＶ−ＩＶ線断面図であって、幅ガイド部材２９をプラテンユニット１７（ユニット本体１８）に組み付ける前の状態を示している。
【図５】同、図３のＩＶ−ＩＶ線断面図であって、幅ガイド部材２９をプラテンユニット１７（ユニット本体１８）に組み付けた後の状態を示している。
【図６】同、幅ガイド部材２９をプラテン２０の下方部から取り付ける正立状態における幅ガイド部材２９の斜視図である。
【図７】同、図６とは幅ガイド部材２９を１８０度反対側に倒した倒立状態における幅ガイド部材２９の斜視図である。
【図８】同、幅ガイド部材２９をプラテンユニット１７（プラテン２０）に組み込んだ状態の、図６と同様の幅ガイド部材２９の正立状態における斜視図である。
【図９】同、幅ガイド部材２９をプラテンユニット１７（プラテン２０）に組み込んだ状態の、図７と同様の幅ガイド部材２９の倒立状態における斜視図である。
【符号の説明】
【００３９】
１  ラベル貼付け装置（図１）
２  装置本体ハウジング
３  操作レバー
４  ラベル供給部
５  移送輪
６  印字機構（印字スタンプ機構）
７  剥離機構
８  ラベル貼付け装置１におけるラベルガイド機構（実施例、図４〜図９）
９  貼付けローラー
１０  グリップ
１１  操作レバー軸
１２  圧縮スプリング
１３  操作レバー３のヨーク部
１４  操作レバー３のアーム連結部
１５  ラベル連続体Ｃの移送路
１６  排出ガイド部
１７  プラテンユニット（図２、図３）
１８  ユニット本体
１９  ガイドブラケット
１９Ａ  ガイドブラケット１９のプラテン側係合部
２０  プラテン
２０Ａ  プラテン２０の外方壁面
２１  移送輪５の回転軸
２２  台紙ガイドカバー
２３  移送アーム軸（図１）
２４  移送アーム
２５  印字器
２６  ローラー軸
２７  インキローラー
２８  剥離機構７の転向ピン
２９  ラベルガイド機構８の幅ガイド部材（図４〜図７）
３０  幅ガイド部材２９の基板部
３０Ａ  基板部３０の裏面側において台紙Ｓの移送方向を示す矢印
３１  幅ガイド部材２９の幅規制部
３１Ａ  幅規制部３１の内方壁面
３１Ｂ  幅規制部３１の外方壁面
３１Ｃ  幅規制部３１のガイド側係合部
３１Ｄ  幅規制部３１のテーパー面
３２  幅ガイド部材２９のつまみ部
３２Ａ  つまみ部３２の基板部３０との間の接合部
３３  着脱窓
３３Ａ  着脱窓３３の外方壁面
３４  補強用リブ
３５  つまみ部３２に形成した折返し部
３５Ａ  折返し部３５の上流外方突出折返し部
３５Ｂ  折返し部３５の上流内方突出折返し部
３５Ｃ  折返し部３５の下流内方突出折返し部
３５Ｄ  折返し部３５の下流外方突出折返し部
３５Ｅ  折返し部３５を形成していない非形成部
３６  上流側補助延長部（補助延長部）
３７  下流側補助延長部（補助延長部）
３８  補強用リブ
３９  プラテン２０の下面に形成した複数本の垂直リブ
３９Ａ  垂直リブ３９の係合凹部
Ｃ    ラベル連続体
Ｌ    ラベル片
Ｓ    台紙
Ｗ    幅規制部３１における左右一対の内方壁面３１Ａの間の間隔（図４）
【図１】
2010143588.tif 000003
【図２】
2010143588.tif 000004
【図３】
2010143588.tif 000005
【図４】
2010143588.tif 000006
【図５】
2010143588.tif 000007
【図６】
2010143588.tif 000008
【図７】
2010143588.tif 000009
【図８】
2010143588.tif 000010
【図９】
2010143588.tif 000011